(57)【要約】【課題】浴室内で、液体収納ボトルが収納棚内で滑ることや倒れることを防止することができる浴室収納棚を提供する。【解決手段】浴室に設けられた浴室収納棚であって、前方に開口を有する収納棚と、前記収納棚内に収納された状態から前方側に向けて引き出し可能なトレーと、を備え、前記トレーは、所定の引き出し位置で固定可能であり、且つ前記収納棚内に横倒しにして収納された液体収納ボトルのポンプ部を前後方向に固定するための固定部と、を有していることを特徴とする浴室収納棚を提供する。【選択図】  図１
2009119016.tif 000002
【特許請求の範囲】
【請求項１】
浴室に設けられた浴室収納棚であって、前方に開口部を有し、背面板部を有する収納棚と、前記収納棚内に収納された状態から前方側に向けて引き出し可能なトレーと、を備え、前記トレーは、所定の引き出し位置で固定可能であり、且つ前記収納棚内に横倒しにして収納された液体収納ボトルのポンプ部を前後左右方向に固定するための固定部と、を有していることを特徴とする浴室収納棚。
【請求項２】
前記収納棚内の底面は前記開口部側に向かって下り勾配となる傾斜面となっていることを特徴とする請求項１記載の浴室収納棚。
【請求項３】
前記収納棚の底面はグレーチング状に形成されていることを特徴とする請求項１または２記載の浴室収納棚。
【請求項４】
前記トレーは前記収納棚から着脱可能であることを特徴とする請求項１乃至３いずれかに記載の浴室収納棚。
【請求項５】
前記収納棚の天板部が洗い場カウンターを兼用していることを特徴とする請求項１乃至４いずれかに記載の浴室収納棚。
【請求項６】
前記トレーを引き出した状態において浴室床面とトレーの間に手を入れることが可能な空間スペースが設けられる高さに配置されていることを特徴とする請求項１乃至５いずれかに記載の浴室収納棚。
【請求項７】
前記トレーは複数個、取り付け可能であると共に横方向の取り付け位置を調整可能であることを特徴とした請求項１乃至６いずれかに記載の浴室収納棚。
【請求項８】
前記トレーは前記収納棚の下方に形成された溝部に収納可能となっていることを特徴とした請求項１乃至７いずれかに記載の浴室収納棚。
【請求項９】
前記溝部の底面には、開口部側から奥側に向かって前記収納棚の横方向に渡って突出して形成された横長形状の凸部と、凹部が所定の間隔を空けて交互に複数個形成され、前記トレーの底面には、固定部側から奥側に向かって前記溝の凹部と嵌合するように所定の間隔を空けて凸部と凹部が交互に形成されていることを特徴とする請求項８記載の浴室収納棚。
【請求項１０】
前記トレーは引き出し部と、引き出し部の前端から上方に向けて折り曲げられた前面部と、前記前面部の上部に半円状の切り欠きが形成されていることを特徴とする請求項８記載の浴室収納棚。
【請求項１１】
前記収納棚の底面は開口部から奥側に向かうに従って下り勾配となっていることを特徴とする請求項１乃至３いずれかに記載の浴室収納棚。
【発明の詳細な説明】
【技術分野】
【０００１】
本発明は、浴室内における液体収納ボトルの収納棚に関する。
【背景技術】
【０００２】
従来の収納棚としては、例えば、特許文献１や特許文献２に記載されているように、容器を収納する収納部と、前面開口状の該収納部開口で形成されているものが知られており、収納物を載置するようになっている。
【０００３】
【特許文献１】特開２００６−１４１７８１号公報
【特許文献２】実開平７−０１８６９１号公報
【発明の開示】
【発明が解決しようとする課題】
【０００４】
しかしながら、上述した従来の収納棚においては、収納棚内に収納した状態でポンプを押すと収納棚内で液体収納ボトルが滑ることや、倒れるという問題がある。
【０００５】
そこで、本発明は、上述した従来技術の問題を解決するためになされたものであり、収納棚内に収納した状態でポンプを押しても、液体収納ボトルが収納棚内で滑ることや倒れることを防止することができる収納棚を提供することを目的としている。
【課題を解決するための手段】
【０００６】
上記の目的を達成するために、本発明は、浴室に設けられた浴室収納棚であって、前方に開口部を有し、背面板部を有する収納棚と、前記収納棚内に収納された状態から前方側に向けて引き出し可能なトレーと、を備え、前記トレーは、所定の引き出し位置で固定可能であり、且つ前記収納棚内に横倒しにして収納された液体収納ボトルのポンプ部を前後左右方向に固定するための固定部と、を有していることを特徴としている。
このように構成された本発明の収納棚においては、収納棚内に収納した状態でポンプを押しても、液体収納ボトルのポンプ部を前後左右方向に固定可能な構造であるため、液体収納ボトルが収納棚内で滑ることや倒れることを防止することができる。
【発明の効果】
【０００７】
本発明の収納棚によれば、収納棚内に収納した状態でポンプを押しても、収納棚に収納される液体収納ボトルが収納棚内で滑ることや倒れることを防止することができる。
【発明を実施するための最良の形態】
【０００８】
以下、添付図面を参照して本発明の収納棚の実施形態について説明する。
図１は、本発明の第１実施形態による収納棚を示す斜視図である。また、図２は、本実施形態による収納棚の平面図である。さらに、図３は、図２のＩ−Ｉ断面図である。
図１〜図３に示すように、本実施形態の収納棚１は、収納棚本体２、トレー３、によって構成されており、これらの各構成部品はＡＢＳ樹脂等によって形成されている。
なお、トレー３は、所定の引き出し位置で固定可能な構造となっており、且つ前記収納棚内に横倒しにして収納された液体収納ボトル４のポンプ部４ａを前後左右方向に固定するための固定部３ａを有しているため、液体収納ボトル４が滑ることや倒れることを防止できるようになっている。
【０００９】
収納棚本体２は、浴室（図示せず）内の洗い場床の上方に配置されている。
収納棚本体２は背面板部と、その周囲から前方に突出した天板部、底面板部と、左右の側面板部を備え、前方に開口２ａを有し、底面板部の下方に形成されている溝にトレー３が引き出し可能に収納されるようになっている。尚、底面板部はシャンプーボトルを横にして収納できる程度の奥行きを有している。
【００１０】
トレー３は収納棚本体２に収納された状態から前方向に向けて引き出し可能であるように配置されている。また、トレー３は所定の引きだし位置で固定可能であり、且つ収納棚本体２内に横倒しにして収納された液体収納ボトル４のポンプ部４ａを前後左右方向に固定するための固定部３ａもつ。
【００１１】
つぎに、上述した実施形態の収納棚の作用について説明する。
図４は、本実施形態の収納棚において、液体収納ボトルの固定に伴う収納棚本体とトレーとの固定方法を示す模式図である。
図４に示すように、液体収納ボトル４は、収納棚本体２の背面板部２ｂとトレー３の前端部に形成された固定部３ａとで液体収納ボトル４の底面４ｂとポンプ部４ａとを挟み支持することで前後方向に固定された状態となる。
【００１２】
また、このとき液体収納ボトル４のノズル部４ａは、トレー３の固定部３ａによって水平方向への動きを制限された状態となり、上記の状態よりさらに固定された状態となる。
【００１３】
液体収納ボトル４の固定を解除する場合には、ノズル部４ａを固定部３aに固定したまま、トレー３を収納棚本体２から前方に引き出すとトレー３は本体２から完全に取り外される。
【００１４】
上述した本実施形態による収納棚１によれば、収納棚本体２の背面板部２ｂとトレー３の前端部に形成された固定部３ａとで液体収納ボトル４の底面４ｂとポンプ部４ａとを挟み支持する構造であるため、市販の液体収納ボトルをそのまま使用することができると共に、様々な大きさ、デザインの液体収納ボトルに対応が可能である。
さらに市販の液体収納ボトルをそのまま使用できるため、ディスペンサーと違い、液体の交換が容易である。
また上記構造に加え液体収納ボトル４のノズル部４ａはトレー３の固定部３ａによって水平方向への動きを制限された状態となるため、収納している際に液体収納ボトルが水平方向に動くことを防ぐこととなり、液体収納ボトルが転倒して騒音の原因となることを防ぐ。
さらに液体収納ボトル４とポンプ部４ａが固定されているため、液体収納ボトルのノズル部を片手で押すことが可能である。
【００１５】
つぎに、本発明の第２実施形態による収納棚について説明する。
図５は、本実施形態の収納棚の断面図である。収納棚内の底面２ｄが傾斜面となっている構造のみが上述した第１実施形態の収納棚の底面構造と異なっており、その他の構成については、第１実施形態の構成と同一であるため、これらの同一構造については説明を省略する。
【００１６】
上述した本実施形態の収納棚１によれば、収納部の奥行きを小さく抑えることができる。
さらに開口方向に下がる勾配であれば使用者に液体収納ボトルのラベルが向くので、液体収納ボトル内の種類を判別しやすい。
また、勾配に沿って湯水が流れるため、内部に湯水が溜まりにくい。
【００１７】
つぎに、本発明の第３実施形態による収納棚について説明する。
収納棚内の底面板部２ｄがグレーチング状に形成されている構造のみが上述した第１実施形態または第２実施形態の収納棚の底面構造と異なっており、その他の構成については、第１実施形態または第２実施形態の構成と同一であるため、これらの同一構造については説明を省略する。
【００１８】
上述した本実施形態の収納棚１によれば、棚底部に溜まった湯水を容易に除去することができる。
また、図６のように液体収納ボトルの幅方向にグレーチングがある場合は、より安定して液体収納ボトルを収納することができる。
【００１９】
つぎに、本発明の第４実施形態による収納棚について説明する。
トレー３が収納棚本体２から着脱可能となっている構造のみが上述した第１から第３実施形態の収納棚の構造と異なっており、その他の構成については、第１実施形態から第３実施形態の構成と同一であるため、これらの同一構造については説明を省略する。
【００２０】
上述した本実施形態の収納棚１によれば、トレー３を取り外して清掃することができる。
【００２１】
つぎに、本発明の第５実施形態による収納棚について説明する。
収納棚１の天板部２ｅが洗い場カウンターを兼用している構造のみが上述した第１実施形態から第４実施形態の収納棚の構造と異なっており、その他の構成については、第１から第４実施形態の構成と同一であるため、これらの同一構造については説明を省略する。
【００２２】
上述した本実施形態の収納棚１によれば、浴室の広さを狭めることなく収納を増やすことができ、カウンター下の未利用空間を活用できる。
【００２３】
つぎに、本発明の第６実施形態による収納棚について説明する。
トレー３を引き出した状態において浴室床面とトレー３の間に手を入れることが可能な空間スペースが設けられている構造のみが上述した第１から第５実施形態の収納棚の構造と異なっており、その他の構成については、第１実施形態から第５実施形態の構成と同一であるため、これらの同一構造については説明を省略する。具体的には、トレーを引き出した状態において、トレーと洗い場床面との間に所定の高さが形成される位置に収納棚を配置すればよい。また、収納棚を洗い場床面上に載置する際には、底面板の下に高さを稼ぐためのスペーサー部を設ければ良い。
【００２４】
上述した本実施形態の収納棚１によれば、液体収納ボトルのノズル部を片手で押しやすくなる。
【００２５】
つぎに、本発明の第７実施形態による収納棚について説明する。
トレー３は複数個、取付け可能であると共に横方向の取り付け位置が調整可能である構造のみが上述した第１実施形態から第６実施形態の収納棚の構造と異なっており、その他の構成については、第１実施形態から第６実施形態の構成と同一であるため、これらの同一構造については説明を省略する。
【００２６】
上述した本実施形態の収納棚１によれば、液体収納ボトルの高さ方向だけではなく、幅方向に対する大きさの対応が可能となる。
【００２７】
つぎに、本発明の第８実施形態による収納棚について説明する。
トレー３は収納棚本体２の下方に形成された溝部２ｄに収納可能となっている構造のみが上述した第１から第７実施形態の収納棚の構造と異なっており、その他の構成については、第１実施形態から第７実施形態の構成と同一であるため、これらの同一構造については説明を省略する。
【００２８】
上述した本実施形態の収納棚１によれば、トレー３が外れにくくなっている。
【００２９】
つぎに、本発明の第９実施形態による収納棚について説明する。
第８実施形態の溝部２ｄの底面に、開口部側から奥側に向かって収納棚本体２の横方向に渡って突出して形成された横長形状の凸部２ｆと、凹部２ｇが所定の間隔を空けて交互に複数個形成され、トレー３の底面３ｂには固定部側から奥側に向かって前記溝２ｄの凹部２ｆと嵌合するように所定の間隔を空けて凸部３ｃと凹部３ｄが交互に形成されている構造のみが上述した第１から第８実施形態の収納棚の構造と異なっており、その他の構成については、第１実施形態から第８実施形態の構成と同一であるため、これらの同一構造については説明を省略する。
【００３０】
上述した本実施形態の収納棚１によれば、段階的に液体収納ボトルの高さ方向の大きさに追従することができる。
【００３１】
つぎに、本発明の第１０実施形態による収納棚について説明する。
トレー３の引き出し部と、引き出し部の前端から上方に向けて折り曲げられた前面部と、前面部の上部に半円状の切り欠きが形勢されている構造のみが上述した第１から第９実施形態の収納棚の構造と異なっており、その他の構成については、第１実施形態から第９実施形態の構成と同一であるため、これらの同一構造については説明を省略する。
【００３２】
上述した本実施形態の収納棚１によれば、引き出し部の前端から上方に向けて折り曲げられた前面部によって液体収納ボトルを支持固定し、前面部上部の半円状切り欠きによって液体収納ボトル４のノズル部４ａを支持することができる。
【００３３】
つぎに、本発明の第１１実施形態による収納棚について説明する。
収納棚１の底面は開口部から奥側に向かうに従って下り勾配となっている構造のみが上述した第１から第１０実施形態の収納棚の構造と異なっており、その他の構成については、第１実施形態から第１０実施形態の構成と同一であるため、これらの同一構造については説明を省略する。
【図面の簡単な説明】
【００３４】
【図１】本発明の第１実施形態による収納棚を示す斜視図である。
【図２】本発明の第１実施形態による収納棚の平面図である。
【図３】図２のＩ−Ｉ断面図である。
【図４】本発明の第１実施形態による液体収納ボトルの固定に伴う収納棚本体とトレーとの固定方法を示す模式図である。
【図５】本発明の第２実施形態による収納棚の断面図である。
【図６】本発明の第３実施形態による収納棚の概観斜視図である。
【符号の説明】
【００３５】
１…収納棚
２、２ａ、２ｂ、２ｃ、２ｄ、２ｅ、２ｆ、２ｇ…収納棚本体
３、３ａ、３ｂ、３ｃ、３ｄ…トレー
４、４ａ、４ｂ…液体収納ボトル
【図１】
2009119016.tif 000003
【図２】
2009119016.tif 000004
【図３】
2009119016.tif 000005
【図４】
2009119016.tif 000006
【図５】
2009119016.tif 000007
【図６】
2009119016.tif 000008